(57)【要約】      （修正有）【課題】帳票等の記録媒体に記入されるべき情報を、その記録媒体に基づいて生成される画像として利用者に提示することができる画像処理装置及びプログラムを提供する。【解決手段】記録媒体画像取得部２０が、利用者により情報が記入される記録媒体の画像である記録媒体画像を取得する。取得した画像から領域特定部２４で入力域を特定し、予め記憶されている情報、あるいは他の手段で入力された情報から対応関係情報生成部２６で生成された情報と合成し、取得される記録媒体画像と、記録媒体画像に基づいて特定される記録媒体に記入されるべき情報とに基づいて生成される生成画像を、画像表示出力部２８で表示出力する。【選択図】図２
2010287929.tif 000002
【特許請求の範囲】
【請求項１】
利用者により情報が記入される記録媒体の画像である記録媒体画像を取得する記録媒体画像取得手段と、
前記記録媒体画像取得手段により取得される記録媒体画像と、前記記録媒体画像に基づいて特定される前記記録媒体に記入されるべき情報と、に基づいて生成される生成画像を表示出力する生成画像表示出力手段と、
を含むことを特徴とする画像処理装置。
【請求項２】
前記生成画像表示出力手段が、前記記録媒体画像取得手段により取得される記録媒体画像と、前記記録媒体画像に含まれる、前記記録媒体に情報が記入されるべき少なくとも１つの領域の、前記記録媒体画像内における位置に基づいて特定される情報と、に基づいて生成される生成画像を表示出力する、
ことを特徴とする請求項１に記載の画像処理装置。
【請求項３】
前記生成画像表示出力手段が、前記記録媒体画像取得手段により取得される記録媒体画像と、前記記録媒体画像に含まれる、前記記録媒体に情報が記入されるべき複数の領域間の位置関係に基づいて特定される情報と、に基づいて生成される生成画像を表示出力する、
ことを特徴とする請求項２に記載の画像処理装置。
【請求項４】
前記記録媒体画像に基づいて特定される前記記録媒体に記入されるべき情報と、前記記録媒体に利用者により記入された情報と、の比較結果を出力する比較結果出力手段、をさらに含む、
ことを特徴とする請求項１から３のいずれか一項に記載の画像処理装置。
【請求項５】
前記生成画像表示出力手段が、前記記録媒体画像取得手段により取得される記録媒体画像と、前記記録媒体画像に基づいて特定される様式に関連付けられる情報と、に基づいて生成される生成画像を表示出力する、
ことを特徴とする請求項１から４のいずれか一項に記載の画像処理装置。
【請求項６】
前記生成画像表示出力手段が、利用者により情報が記入されている前記記録媒体内における位置に対応する前記生成画像の一部を表示出力する、
ことを特徴とする請求項１から５のいずれか一項に記載の画像処理装置。
【請求項７】
利用者により情報が記入される記録媒体の画像である記録媒体画像を取得する記録媒体画像取得手段、
前記記録媒体画像取得手段により取得される記録媒体画像と、前記記録媒体画像に基づいて特定される前記記録媒体に記入されるべき情報と、に基づいて生成される生成画像を表示出力する生成画像表示出力手段、
としてコンピュータを機能させることを特徴とするプログラム。
【発明の詳細な説明】
【技術分野】
【０００１】
本発明は、画像処理装置及びプログラムに関する。
【背景技術】
【０００２】
現実に存在する物体の画像と仮想的な物体の画像との合成画像をディスプレイなどの出力装置に出力する拡張現実という技術が存在する。特許文献１には、識別情報を持つマーカをカメラで撮影して、マーカの空間的な位置及び姿勢に応じて識別情報に対応する現実物体を回転・移動させて入力画像上に合成する技術が開示されている。
【先行技術文献】
【特許文献】
【０００３】
【特許文献１】特開２００３−２５６８７６号公報
【発明の概要】
【発明が解決しようとする課題】
【０００４】
本発明は、記録媒体に記入されるべき情報を、その記録媒体に基づいて生成される画像として利用者に提示することができる画像処理装置及びプログラムを提供することを目的とする。
【課題を解決するための手段】
【０００５】
請求項１に記載の発明は、画像処理装置であって、利用者により情報が記入される記録媒体の画像である記録媒体画像を取得する記録媒体画像取得手段と、前記記録媒体画像取得手段により取得される記録媒体画像と、前記記録媒体画像に基づいて特定される前記記録媒体に記入されるべき情報と、に基づいて生成される生成画像を表示出力する生成画像表示出力手段と、を含むこととしたものである。
【０００６】
請求項２に記載の発明は、請求項１に記載の画像処理装置であって、前記生成画像表示出力手段が、前記記録媒体画像取得手段により取得される記録媒体画像と、前記記録媒体画像に含まれる、前記記録媒体に情報が記入されるべき少なくとも１つの領域の、前記記録媒体画像内における位置に基づいて特定される情報と、に基づいて生成される生成画像を表示出力することとしたものである。
【０００７】
請求項３に記載の発明は、請求項２に記載の画像処理装置であって、前記生成画像表示出力手段が、前記記録媒体画像取得手段により取得される記録媒体画像と、前記記録媒体画像に含まれる、前記記録媒体に情報が記入されるべき複数の領域間の位置関係に基づいて特定される情報と、に基づいて生成される生成画像を表示出力することとしたものである。
【０００８】
請求項４に記載の発明は、請求項１から３のいずれか一項に記載の画像処理装置であって、前記記録媒体画像に基づいて特定される前記記録媒体に記入されるべき情報と、前記記録媒体に利用者により記入された情報と、の比較結果を出力する比較結果出力手段、をさらに含むこととしたものである。
【０００９】
請求項５に記載の発明は、請求項１から４のいずれか一項に記載の画像処理装置であって、前記生成画像表示出力手段が、前記記録媒体画像取得手段により取得される記録媒体画像と、前記記録媒体画像に基づいて特定される様式に関連付けられる情報と、に基づいて生成される生成画像を表示出力することとしたものである。
【００１０】
請求項６に記載の発明は、請求項１から５のいずれか一項に記載の画像処理装置であって、前記生成画像表示出力手段が、利用者により情報が記入されている前記記録媒体内における位置に対応する前記生成画像の一部を表示出力することとしたものである。
【００１１】
請求項７に記載の発明は、プログラムであって、利用者により情報が記入される記録媒体の画像である記録媒体画像を取得する記録媒体画像取得手段、前記記録媒体画像取得手段により取得される記録媒体画像と、前記記録媒体画像に基づいて特定される前記記録媒体に記入されるべき情報と、に基づいて生成される生成画像を表示出力する生成画像表示出力手段、としてコンピュータを機能させることとしたものである。
【発明の効果】
【００１２】
請求項１，７に記載の発明によれば、記録媒体に記入されるべき情報を、その記録媒体に基づいて生成される画像として利用者に提示することができる。
【００１３】
請求項２に記載の発明によれば、記録媒体に情報が記入されるべき領域の位置に基づいて特定される情報を利用者に提示することができる。
【００１４】
請求項３に記載の発明によれば、記録媒体に情報が記入されるべき複数の領域間の位置関係に基づいて特定される情報を利用者に提示することができる。
【００１５】
請求項４に記載の発明によれば、記録媒体画像に基づいて特定される情報と記録媒体に利用者が記入した情報との比較結果を利用者に提示することができる。
【００１６】
請求項５に記載の発明によれば、記録媒体画像に基づいて特定される記録媒体の様式に関連づけられる情報を利用者に提示することができる。
【００１７】
請求項６に記載の発明によれば、利用者が情報を記入している位置に対応する、記録媒体に記入されるべき情報を利用者に提示することができる。
【図面の簡単な説明】
【００１８】
【図１】本発明の一実施形態に係る画像処理装置のハードウェア構成の一例を示す図である。
【図２】本発明の一実施形態に係る画像処理装置により実現される機能の一例を示す機能ブロック図である。
【図３】記録媒体画像の一例を示す図である。
【図４】請求情報のデータ構造の一例を示す図である。
【図５】本実施形態に係る画像処理装置で行われる処理の流れの一例を示すフロー図である。
【図６】記入欄強調画像の一例を示す図である。
【図７】指定画面の一例を示す図である。
【図８】生成画像の一例を示す図である。
【図９】本実施形態に係る画像処理装置で行われる処理の流れの一例を示すフロー図である。
【図１０】本実施形態に係る画像処理装置で行われる処理の流れの一例を示すフロー図である。
【発明を実施するための形態】
【００１９】
以下、本発明の一実施形態について図面に基づき詳細に説明する。
【００２０】
図１のハードウェア構成図に例示するように、本実施形態における画像処理装置１０は、例えば、制御部１２、記憶部１４、入出力部１６、を含んでいる。これらの要素は、バスなどを介して接続される。
【００２１】
制御部１２は、ＣＰＵ等のプログラム制御デバイスであり、画像処理装置１０にインストールされるプログラムに従って動作する。記憶部１４は、ＲＯＭやＲＡＭ等の記憶素子やハードディスクなどである。記憶部１４には、制御部１２によって実行されるプログラムなどが記憶される。また、記憶部１４は、制御部１２のワークメモリとしても動作する。入出力部１６は、デジタルカメラ（例えば、オーバーヘッドカメラ）、スキャナ、ディスプレイ、プロジェクタなどであり、取得する画像（静止画像又は動画像）を制御部１２に出力する。また、この入出力部１６は、制御部１２から入力される指示に従って情報を表示出力する。また、入出力部１６が、キーボードやマウスなどを含んでいてもよい。
【００２２】
図２は、本実施形態に係る画像処理装置１０により実現される機能の一例を示す機能ブロック図である。図２に例示するように、本実施形態では、画像処理装置１０は、例えば、記録媒体画像取得部２０、情報記憶部２２、領域特定部２４、対応関係情報生成部２６、画像表示出力部２８、情報特定部３０、画像生成部３２、比較結果出力部３４、を含むものとして機能する。情報記憶部２２は、記憶部１４を主として実現される。記録媒体画像取得部２０、画像表示出力部２８、比較結果出力部３４は、制御部１２及び入出力部１６を主として実現される。その他の要素は制御部１２を主として実現される。
【００２３】
これらの要素は、コンピュータである画像処理装置１０にインストールされたプログラムを、画像処理装置１０の制御部１２で実行することにより実現されている。このプログラムは、例えば、ＣＤ−ＲＯＭ、ＤＶＤ−ＲＯＭなどのコンピュータ可読な情報伝達媒体を介して、あるいは、インターネットなどの通信手段を介して画像処理装置１０に供給される。
【００２４】
記録媒体画像取得部２０は、例えば、画像処理装置１０の利用者により情報が記入される記録媒体（具体的には、例えば、紙や、シールや、プラスチック板など）の画像（記録媒体画像３６）を取得する（図３参照）。図３は、記録媒体画像３６の一例を示す図である。記録媒体画像取得部２０は、具体的には、例えば、オーバーヘッドカメラやＣＣＤカメラなどの入出力部１６が、利用者により情報が書き込まれる記録媒体（具体的には、例えば、用紙や、ラベルや、プラスチック板など）を撮像することにより生成する記録媒体画像３６や、スキャナなどの入出力部１６が記録媒体を読み込むことにより生成する記録媒体画像３６を取得する。本実施形態では、記録媒体は、具体的には、例えば、請求書、領収書、見積書、物品受領書、伝票などの帳票や、封筒、はがきなどの郵便物などである。もちろん、記録媒体は、帳票や郵便物には限定されない。また、記録媒体画像取得部２０は、本実施形態では、例えば、上述したような様々な種類の記録媒体に対応する記録媒体画像３６を取得する。そして、本実施形態では、記録媒体の種類によって、その様式は異なっている。また、本実施形態では、種類が同じ記録媒体であっても、その送付先となる得意先によって、記録媒体の様式が異なる。
【００２５】
図３に例示する記録媒体画像３６は請求書に対応している。図３に例示するように、記録媒体画像３６には、利用者により情報が記入されるべき記録媒体内の領域（図３の例では、例えば、線により囲まれている領域）に対応する少なくとも１つの記入欄３８が含まれている。そして、本実施形態では、記録媒体の様式が異なると、各記入欄３８の配置や各記入欄３８に記入されるべき情報は異なる。そして、本実施形態では、様式が共通する記録媒体については、記入欄３８の配置や各記入欄３８に記入されるべき情報が共通する。
【００２６】
領域特定部２４は、例えば、記録媒体画像３６に含まれる、記録媒体に情報が記入されるべき少なくとも１つの領域を特定する。領域特定部２４は、例えば、公知の画像処理技術により、線で囲まれた四角形の領域や、他の領域と色が異なる領域などを、記録媒体に情報が記入されるべき領域として特定する。本実施形態では、領域特定部２４は、例えば、図３に例示する記録媒体画像３６に含まれる各記入欄３８（記録媒体に含まれる各記入欄３８に対応する）を特定する。
【００２７】
情報記憶部２２は、記録媒体に記入されるべき情報を記憶する。情報記憶部２２は、本実施形態では、例えば、会計情報（例えば、売掛情報、買掛情報、請求情報、納品情報など）や、得意先の連絡先（住所や電話番号）の情報などといった、業務情報（業務データ）を記憶する。図４は、業務情報の一例である請求情報４０のデータ構造の一例を示す図である。図４に例示するように、請求情報４０は、例えば、この請求情報４０の識別子である請求情報識別子４２と、少なくとも１つの個別請求情報４４を含んでいる。そして、個別請求情報４４は、個別請求情報４４の識別子である個別請求情報識別子４６、得意先の企業名を示す企業名情報４８、販売した商品の名称を示す商品名情報５０、その商品の単価を示す単価情報５２、販売した数量を示す販売数量情報５４、販売した価格を示す販売価格情報５６、を含んでいる。なお、個別請求情報４４が販売価格情報５６を含んでいなくてもよい。
【００２８】
対応関係情報生成部２６は、例えば、記録媒体の様式と、情報記憶部２２に記憶されている情報と、の対応関係を示す対応関係情報を生成する。画像表示出力部２８は、画像をディスプレイなどの入出力部１６に表示出力する。
【００２９】
ここで、本実施形態に係る画像処理装置１０で行われる、対応関係情報を生成する処理の流れの一例を、図５に例示するフロー図を参照しながら説明する。
【００３０】
まず、記録媒体画像取得部２０が、図５に例示する記録媒体画像３６を取得する（Ｓ１０１）。そして、領域特定部２４が、例えば、記録媒体画像３６に含まれる各記入欄３８の、記録媒体画像３６内における位置を特定する（Ｓ１０２）。そして、画像表示出力部２８が、記録媒体画像３６と、各記入欄３８の位置を示す画像（記入欄画像５８）と、を重畳した記入欄強調画像６０（図６参照）をディスプレイなどの入出力部１６に表示出力する（Ｓ１０３）。図６に、記入欄強調画像６０の一例を示す。このとき、画像表示出力部２８は、図６に例示するように、各記入欄画像５８を、対応する識別子（例えば、記号や番号など）に関連付けて表示出力してもよい。画像表示出力部２８は、図６に例示するように、各記入欄画像５８のそばに、その記入欄３８に対応する番号を付した記入欄強調画像６０を表示出力する。
【００３１】
そして、対応関係情報生成部２６は、ディスプレイなどの入出力部１６に表示出力される選択画面（図示せず）などを介して利用者から受け付ける操作に基づいて、情報記憶部２２に記憶されている業務情報のうちから、Ｓ１０３に例示する処理において表示出力される画像に対応する記録媒体に記入されるべき情報又は情報群を特定する（Ｓ１０４）。本処理例では、対応関係情報生成部２６は、請求情報４０（請求情報４０に含まれる各個別請求情報４４）を、記録媒体に記入されるべき情報として特定する。
【００３２】
そして、対応関係情報生成部２６は、個別請求情報４４に含まれる各情報に対応する項目と、記入欄３８と、の対応関係を指定する指定画面６２（図７参照）を、記入欄強調画像６０と重ならないようディスプレイなどの入出力部１６に表示出力する（Ｓ１０５）。図７に例示するように、指定画面６２は、対応関係指定フォーム６４と、ＯＫボタン６６と、を含んでいる。そして、対応関係情報生成部２６は、記録媒体に記入されるべき情報に含まれる各情報に対応する記入欄３８を指定する操作を利用者から受け付ける（Ｓ１０６）。例えば、利用者が、キーボードなどの入出力部１６を介して、個別請求情報４４に含まれる各情報の名称に対応する枠内に記入欄３８に対応する識別子を対応関係指定フォーム６４に入力して、ＯＫボタン６６を押下すると、対応関係情報生成部２６は、これらの識別子を受け付ける。図７は、利用者により対応関係指定フォーム６４に識別子が入力された後の指定画面６２の一例を示す図である。なお、個別請求情報４４に含まれる情報の名称に対応付けられない記入欄３８が存在してもよい。また、記入欄３８に対応付けられない個別請求情報４４に含まれる情報の名称が存在してもよい。そして、対応関係情報生成部２６は、Ｓ１０１に例示する処理で取得する記録媒体画像３６に対応する記録媒体の様式と請求情報４０との関係、及び、記録媒体画像３６内の各記入欄３８と、個別請求情報４４に含まれる各情報に対応する項目と、の関係を示す対応関係情報を生成する（Ｓ１０７）。対応関係情報生成部２６は、例えば、Ｓ１０１に例示する処理で取得する記録媒体画像３６（又は、その識別子）と、Ｓ１０６に例示する処理で受け付ける操作に基づいて生成される、各記入欄３８と個別請求情報４４に含まれる各情報の名称とを対応付ける情報と、を含む、対応関係情報を生成する。
【００３３】
情報特定部３０は、例えば、記録媒体画像３６に基づいて、記録媒体に記入されるべき情報を特定する。情報特定部３０は、例えば、領域特定部２４により特定される領域の記録媒体画像３６内における位置や、領域特定部２４により特定される記録媒体画像３６内の複数の領域間の位置関係に基づいて、記録媒体に記入されるべき情報を特定する。また、情報特定部３０が、記録媒体画像３６に基づいて、この記録媒体画像３６に対応する記録媒体の様式を特定して、その様式に関連付けられる情報を、記録媒体に記入されるべき情報として特定してもよい。
【００３４】
画像生成部３２は、例えば、記録媒体画像３６と、情報特定部３０により特定される情報と、に基づいて画像（以下、生成画像６８と呼ぶ。）を生成する（図８参照）。図８は、生成画像６８の一例を示す図である。なお、図８に例示する生成画像６８に示した具体的な数値や文字列は例示であり、これらの数値や文字列には限定されない。
【００３５】
ここで、本実施形態に係る画像処理装置１０で行われる生成画像６８を表示出力する処理の流れの一例を、図９に例示するフロー図を参照しながら説明する。
【００３６】
まず、記録媒体画像取得部２０が、利用者により情報が記入されていない記録媒体画像３６を取得する（Ｓ２０１）。そして、領域特定部２４が、記録媒体画像３６に含まれる各記入欄３８の、記録媒体画像３６内における位置を特定する（Ｓ２０２）。そして、情報特定部３０が、この記録媒体画像３６に対応する記録媒体の様式を特定する（Ｓ２０３）。情報特定部３０は、具体的には、例えば、Ｓ２０２に例示する処理において特定される位置や、各記入欄３８の周囲に記載されている文字列などと、情報記憶部２２に記憶されている各対応関係情報と、の比較結果に基づいて、この記録媒体画像３６に対応する記録媒体の様式を、請求情報４０の様式であると特定する。
【００３７】
そして、情報特定部３０が、請求情報４０に含まれる、個別請求情報４４のうちの１つを、利用者に記入されるべき情報として特定する（Ｓ２０４）。そして、画像生成部３２が、Ｓ２０１に例示する処理により取得される記録媒体画像３６内の各記入欄３８に、Ｓ２０４に例示する処理により特定される個別請求情報４４に含まれる各情報を配置した、図８に例示する生成画像６８を生成する（Ｓ２０５）。図８に例示するように、生成画像６８では、企業名情報４８に対応する文字列、商品名情報５０に対応する文字列、単価情報５２に対応する数字列、販売数量情報５４に対応する数字列、販売価格情報５６に対応する数字列、が、それぞれ対応する記入欄３８内に配置されている。また、各記入欄３８には、個別請求情報４４に含まれる情報に基づいて算出される値に対応する数字列が配置されてもよい。例えば、画像生成部３２が、販売価格情報５６に対応する記入欄３８に、販売価格情報５６に対応する数字列の代わりに、単価情報５２の値と販売数量情報５４の値とに基づいて算出される値（例えば、単価情報５２の値と販売数量情報５４の値との積）に対応する数字列を配置してもよい。
【００３８】
そして、画像表示出力部２８が、Ｓ２０５に例示する処理により生成される生成画像６８をディスプレイなどの入出力部１６に表示出力する（Ｓ２０６）。このように、本実施形態では、画像表示出力部２８は、例えば、画像生成部３２により生成される生成画像６８を表示出力する。
【００３９】
そして、本実施形態では、利用者は、例えば、入出力部１６に表示出力された生成画像６８を参照しながら、手書きにより、記録媒体内に個別請求情報４４に含まれる各情報を記入する。
【００４０】
比較結果出力部３４は、情報特定部３０により特定される情報と、記録媒体に利用者により記入された情報と、の比較結果を出力する。ここで、本実施形態に係る画像処理装置１０において、上述のＳ２０１〜Ｓ２０６に例示する処理に引き続いて行われる、比較結果の出力処理の一例を、図１０に例示するフロー図を参照しながら説明する。
【００４１】
まず、記録媒体画像取得部２０が、利用者により情報が記入された記録媒体画像３６を取得する（Ｓ３０１）。そして、比較結果出力部３４は、Ｓ３０１に例示する処理で取得した記録媒体画像３６と、上述のＳ２０１に例示する処理で取得した記録媒体画像３６と、を比較して、Ｓ３０１に例示する処理において取得する記録媒体画像３６内における、利用者により情報が記入された記入欄３８を少なくとも１つ特定する（Ｓ３０２）。そして、比較結果出力部３４は、Ｓ３０２に例示する処理で特定される各記入欄３８に記入されている情報を、公知の文字認識技術などにより認識する（Ｓ３０３）。そして、比較結果出力部３４は、各記入欄３８について、Ｓ３０３に例示する処理で利用者により記入欄３８に記入されたと認識された情報（認識情報）と、上述のＳ２０５に例示する処理でその記入欄３８に配置された個別請求情報４４に含まれる情報（配置情報）と比較する（Ｓ３０４）。そして、比較結果出力部３４は、その比較結果を示す情報を生成画像６８に重畳してディスプレイなどの入出力部１６に表示出力する（Ｓ３０５）。ここで、比較結果出力部３４は、具体的には、例えば、認識情報と配置情報とが互いに対応している（あるいは、対応していない）ことを示す文字列や、認識情報と配置情報とで数値が異なることを示す文字列や、認識情報と配置情報とでフォーマットが異なる（例えば、一方が文字列であり、他方が数字列である）ことを示す文字列などを表示出力する。なお、比較結果出力部３４は、文字列の代わりに画像を表示出力してもよい。このようにして、本実施形態では、利用者により適切な情報が記入されたか否かについて検査が行われる。
【００４２】
なお、上述のＳ３０５に例示する処理の終了後、比較結果出力部３４は、検査が終了した旨をディスプレイなどの入出力部１６に表示出力してもよい。また、比較結果出力部３４が、検査済であることを示す情報を、上述の検査の対象となった個別請求情報４４に関連付けて情報記憶部２２に出力してもよい。この場合、上述のＳ２０４に例示する処理において、情報特定部３０が、検査済であることを示す情報に関連付けられていない個別請求情報４４のうちの１つを特定するようにしてもよい。
【００４３】
そして、様々な様式の記録媒体について、上述のＳ２０１〜Ｓ３０５に例示する処理を、繰り返し実行してもよい。また、画像処理装置１０は、画像表示出力部２８による生成画像６８の表示出力と、比較結果出力部３４による比較結果の出力をそれぞれ独立して行ってもよい。また、画像処理装置１０は、Ｓ１０１〜Ｓ１０７に例示する処理に続いて、上述のＳ２０１〜Ｓ２０６に例示する処理を行ってもよい。
【００４４】
なお、本発明は上記実施形態に限定されるものではない。
【００４５】
例えば、画像表示出力部２８が生成画像６８をプロジェクタにより表示出力する場合には、記録媒体が置かれている部材（例えば、机）に向けて生成画像６８を投影してもよい。このとき、画像表示出力部２８は、例えば、記録媒体が配置されている位置に生成画像６８を投影してもよい。また、画像表示出力部２８は、生成画像６８に含まれる各記入欄３８を、その記入欄３８に対応する記録媒体内の記入欄３８に投影するようにしてもよい。また、画像表示出力部２８は、記録媒体の配置に対応する生成画像６８を変形して投影するようにしてもよい。画像表示出力部２８は、具体的には、例えば、Ｓ２０１に例示する処理において取得される記録媒体画像３６に基づいて、記録媒体の向きや歪みを特定して、その向きや歪みに対応するよう生成画像６８を変形して表示出力してもよい。
【００４６】
また、例えば、画像処理装置１０が、携帯電話やスマートフォンの携帯情報端末などであってもよい。そして、記録媒体画像取得部２０が、携帯情報端末が備えるカメラにより生成される記録媒体画像３６を取得してもよい。そして、画像表示出力部２８が、生成画像６８を携帯情報端末が備えるディスプレイに表示出力したり、生成画像６８を携帯情報端末が備えるプロジェクタから投影したりしてもよい。また、この場合、携帯情報端末が、記録媒体を撮像して記録媒体画像３６を生成する際に撮像時のゆがみや手ぶれによるずれを補正するようにしてもよい。また、携帯情報端末が、記録媒体に利用者が情報を記入している様子を撮像して、画像表示出力部２８が、利用者により情報が記入されている前記記録媒体内における位置に対応する生成画像６８の一部を携帯情報端末が備えるディスプレイに拡大して表示出力するようにしてもよい。そして、利用者により情報が記入されている前記記録媒体内における位置が変化する際に、画像表示出力部２８が、その変化に応じて、携帯情報端末が備えるディスプレイに拡大して表示出力される生成画像６８の一部を変化させてもよい。
【符号の説明】
【００４７】
１０  画像処理装置、１２  制御部、１４  記憶部、１６  入出力部、２０  記録媒体画像取得部、２２  情報記憶部、２４  領域特定部、２６  対応関係情報生成部、２８  画像表示出力部、３０  情報特定部、３２  画像生成部、３４  比較結果出力部、３６  記録媒体画像、３８  記入欄、４０  請求情報、４２  請求情報識別子、４４  個別請求情報、４６  個別請求情報識別子、４８  企業名情報、５０  商品名情報、５２  単価情報、５４  販売数量情報、５６  販売価格情報、５８  記入欄画像、６０  記入欄強調画像、６２  指定画面、６４  対応関係指定フォーム、６６  ＯＫボタン、６８  生成画像。
【図１】
2010287929.tif 000003
【図２】
2010287929.tif 000004
【図３】
2010287929.tif 000005
【図４】
2010287929.tif 000006
【図５】
2010287929.tif 000007
【図６】
2010287929.tif 000008
【図７】
2010287929.tif 000009
【図８】
2010287929.tif 000010
【図９】
2010287929.tif 000011
【図１０】
2010287929.tif 000012